(57)【特許請求の範囲】
【請求項１】
放送番組やビデオ再生映像等の映像を録画する際に、録画する映像からシーンチェンジ画像を重複録画検出用の画像データとして抽出する重複録画検出用画像抽出手段と、
該重複録画検出用画像抽出手段が抽出した画像データの少なくとも一部を格納可能な検出用画像メモリ手段と、
新たに映像を録画する際に、この新たに録画する映像から前記重複録画検出用画像抽出手段により抽出した重複録画検出用の画像データと、過去に既に録画された映像から抽出されて前記検出用画像メモリ手段に既に格納されている重複録画検出用の画像データとを比較することにより、新たな映像が既に録画済みであるかどうかを判別する重複検出手段と、
既に録画済であった場合には、その旨をユーザーに伝える重複録画の報知手段と、
ユーザーの操作に応じて新たな映像の録画をキャンセルする手段とを、
有し、録画済みの映像の重複録画を防止可能としたことを特徴とするデジタル録画装置。
【請求項２】
放送番組やビデオ再生映像等の映像を録画する際に、録画する映像からシーンチェンジ画像を重複録画検出用の画像データとして抽出する重複録画検出用画像抽出手段と、
該重複録画検出用画像抽出手段が抽出した画像データの少なくとも一部を格納可能な検出用画像メモリ手段と、
新たに映像を録画する際に、この新たに録画する映像から前記重複録画検出用画像抽出手段により抽出した重複録画検出用の画像データと、過去に既に録画された映像から抽出されて前記検出用画像メモリ手段に既に格納されている重複録画検出用の画像データとを比較することにより、新たな映像が既に録画済みであるかどうかを判別する重複検出手段と、
既に録画済であった場合には、その旨をユーザーに伝える重複録画の報知手段と、
既に録画済であった場合には、自動的に新たな映像の録画をキャンセルする手段とを、
有し、録画済みの映像の重複録画を防止可能としたことを特徴とするデジタル録画装置。
【請求項３】
請求項１または２記載において、
録画映像からユーザーが任意に、前記した録画重複検出用の画像データを選択する手段を有することを特徴とするデジタル録画装置。
【請求項４】
請求項１または２記載において、
前記重複録画の報知手段は、重複録画である旨を、テキストを装置の表示部に表示するか、または、音声により出力することを特徴とするデジタル録画装置。
【発明の詳細な説明】
【０００１】
【発明の属する技術分野】
本発明は、デジタル録画装置に係り、特に、録画時または予約録画時の録画重複確認機能にかかわる技術に関する。
【０００２】
【従来の技術】
近年、映像情報をデジタル化し、そのデジタルストリーム情報をデジタルデータのまま記録し、再びそのデータを映像情報に戻して再生する、ＤＶＤやＨＤＤ等のデジタル記録メディアが普及し始めている。
【０００３】
このような環境の中で、デジタル録画装置の大容量化が進み、多量の録画コンテンツを管理・制御できる機能が必要となってきている。
【０００４】
ところで、従来は、録画コンテンツ毎にユーザーが任意の名前を付け、その名前のリストを管理することにより、ユーザーがディジタル記録メディア中の録画コンテンツ内容を把握するようにしているのが、一般的であった。
【０００５】
例えば、特開平１０−３２６４７９号公報に開示されたテレビ番組録画管理装置では、録画番組毎に番組関連情報（キーワードや録画時間）を管理し、その履歴情報から記録済みの番組を検索することで、同一番組の重複録画を防止する方式が提案されている。
【０００６】
しかし、このようなシステムでは、ユーザーが任意で決めるキーワードで管理を行うため、安易なキーワードを付加すると、録画番組数が増加した場合に後で録画番組内容が把握できなくなったり、逆に特殊なキーワードを付加すると、別ユーザーが使用する際に録画番組内容を把握できない場合があるという問題があった。
【０００７】
図５は従来のデジタル録画装置の基本構成を示す図で、この図５を用いて、従来のデジタル録画装置の基本動作を説明する。
【０００８】
始めに、アナログ映像を録画する動作を説明する。まず、ユーザーにより操作部５１０から録画操作が行われる。すると、操作部５１０から録再制御部５０７へ録画制御を行うよう指示が出される。なお、ここでいう映像とは、主に画像情報を指し、録画するコンテンツとしては音声も含まれるが、以下に説明する本発明との関連において、音声は特に重要でないのでその説明を割愛する。録再制御部５０７では、Ａ／Ｄ変換部５０２、ＭＰＥＧエンコーダ部５０３、ＨＤＤ部５０４を制御して、アナログ映像信号５０１を録画する。
【０００９】
アナログ映像信号５０１をＨＤＤ部５０４に録画する手順は、次の通りである。まず、アナログ映像信号５０１がＡ／Ｄ変換部５０２に入力され、デジタル映像信号に変換される。デジタル化された映像信号はＭＰＥＧエンコーダ部５０３に入力され、デジタル映像信号が圧縮される。ここでいう圧縮とは、ＭＰＥＧ２方式による映像データ圧縮である。圧縮されたデジタル映像信号はＨＤＤ部５０４に入力され、録画される。
【００１０】
次に、記録した映像を再生する動作を説明する。まず、ユーザーにより操作部５１０から再生操作が行われる。すると、操作部５１０から録再制御部５０７へ再生制御を行うよう指示が出される。録再制御部５０７では、ＨＤＤ部５０４、ＭＰＥＧデコーダ部５０５、Ｄ／Ａ変換部５０６を制御して、ＨＤＤ部５０４に録画された映像を再生する。再生された映像は、ＴＶモニタ部５１２を通してユーザーに提示される。
【００１１】
ＨＤＤ部５０４に記録された映像を再生する手順は、次の通りである。まず、ＨＤＤ部５０４から録画された圧縮映像データが読み出され、ＭＰＥＧデコーダ部５０５によりデジタル映像データに変換される。変換されたデジタル映像データはＤ／Ａ変換部５０６によりアナログ映像信号となり、ＴＶモニタ部５１２を通してユーザーに提示される。
【００１２】
次に、録画番組履歴情報を用いて録画済みの番組を検索する手順を説明する。まず、録画番組履歴情報を格納する手順について説明すると、ユーザーにより繰作部５１０から録画操作が行われた場合、録画開始時刻情報が録画番組履歴情報格納部５０８に格納され、また、ユーザーにより録画停止操作が行われた場合も同様に、録画終了時刻情報が録画番組履歴情報格納部５０８に格納される。さらに、ユーザーにより操作部５１０を通して録画番組に対応する任意のキーワードを設定された場合も、キーワード情報が録画番組履歴情報格納部５０８に格納される。このようにして、録画番組に対応した録画番組検索用の情報として、録画開始時間・録画終了時間・キーワードの３つが格納される。
【００１３】
次に、格納された録画番組履歴情報から、該当する番組を検索する手順を説明する。ユーザーにより操作部５１０から、検索したい番組の録画開始時間または録画終了時間またはキーワードが入力される。このときの入力状況は、表示部５１１を通じてＴＶモニタ部５１２に出力される。入力された項目に基づき検索部５０９により、録画番組履歴情報格納部５０８から該当する番組が検索される。検索結果は再び表示部５１１を通じてＴＶモニタ部５１２に出力される。
【００１４】
このように、録画番組検索用の履歴情報として、録画開始時間・録画終了時間・キーワードを格納しておき、この履歴情報を用いて、ＨＤＤ部５０４に記録された番組と同一の番組を、重複して録画することを防止するようにしていた。
【００１５】
【発明が解決しようとする課題】
上述したように従来技術においては、録画した番組の履歴情報として、録画開始時間・録画終了時間・キーワードを格納しておき、録画済みの番組を上記の履歴情報から検索し、同一番組の録画を防止するようにしていた。
【００１６】
しかしながら、このような手法では、ユーザーが記録した番組のキーワードについて把握していなければならず、検索する手間もあり不便であった。また、記録メディアの容量が年々増大しており、録画可能番組数も増えることになり、多量の番組のキーワードについて把握することが困難になるという問題があった。
【００１７】
このような問題を解決するため、本発明では、映像を録画する際に、重複録画検出用の画像情報を抽出し、新たに録画する映像から抽出した重複録画検出用の画像情報と比較することで、自動的に重複録画を検出でき、ユーザーの負担無しに同一番組の重複録画を防止する環境を提供することを目的とする。
【００１８】
【課題を解決するための手段】
上記した目的を達成するため、本発明によるデジタル録画装置は、
放送番組やビデオ再生映像等の映像を録画する際に、録画する映像からシーンチェンジ画像を重複録画検出用の画像データとして抽出する重複録画検出用画像抽出手段と、
該重複録画検出用画像抽出手段が抽出した画像データの少なくとも一部を格納可能な検出用画像メモリ手段と、
新たに映像を録画する際に、この新たに録画する映像から前記重複録画検出用画像抽出手段により抽出した重複録画検出用の画像データと、過去に既に録画された映像から抽出されて前記検出用画像メモリ手段に既に格納されている重複録画検出用の画像データとを比較することにより、新たな映像が既に録画済みであるかどうかを判別する重複検出手段と、
既に録画済であった場合には、その旨をユーザーに伝える重複録画の報知手段と、
ユーザーの操作に応じて新たな画映像の録画をキャンセルする手段、または、既に録画済であった場合には、自動的に新たな映像の録画をキャンセルする手段とを、
有し、録画済みの映像の重複録画を防止可能なように、構成される。
【００１９】
【発明の実施の形態】
以下、本発明の実施の形態を、図面を用いて説明する。
【００２０】
図１は、本発明の第１実施形態に係るデジタル録画装置の構成を示すブロック図である。図１において、１０１は入力されてくるアナログ映像信号、１０２はＡ／Ｄ変換部、１０３はＭＰＥＧエンコーダ部、１０４はＨＤＤ部、１０５はＭＰＥＧデコーダ部、１０６はＤ／Ａ変換部、１０７は録再制御部、１０８は重複録画検出用画像抽出部、１０９はシーンチェンジ検出部、１１０は画像データ抽出部、１１１は検出用画像メモリ部、１１２は重複検出部、１１３は操作部、１１４は表示部、１１５はＴＶモニタ部である。
【００２１】
重複録画検出用画像抽出部１０８は重複録画検出用の画像データを抽出するもので、シーンチェンジ検出部１０９でデジタル化された映像信号からシーンチェンジを検出し、画像データ抽出部１１０でシーンチェンジ時の画像データを抽出する。重複録画検出用画像抽出部１０８で抽出された画像データは、検出用画像メモリ部１１１と重複検出部１１２に出力される。重複検出部１１２は、重複録画検出用画像抽出部１０８から出力された画像データと、検出用画像メモリ部１１１から読み出された画像データを対比し、同一画像かどうかを判定する。
【００２２】
続いて、本実施形態の動作について説明する。始めに、アナログ映像を録画する動作を説明する。まず、ユーザーにより操作部１１３から録画操作が行われる。すると、操作部１１３から録再制御部１０７へ録画制御を行うよう指示が出される。なお、ここでいう映像とは、主に画像情報を指し、録画するコンテンツとしては音声も含まれるが、本発明との関連において、音声は特に重要でないのでその説明を割愛する。録再制御部１０７では、Ａ／Ｄ変換部１０２、ＭＰＥＧエンコーダ部１０３、ＨＤＤ部１０４を制御して、アナログ映像信号１０１を録画する。
【００２３】
アナログ映像信号１０１をＨＤＤ部１０４に録画する手順は、次の通りである。まず、アナログ映像信号１０１がＡ／Ｄ変換部１０２に入力され、デジタル映像信号に変換される。デジタル化された映像信号はＭＰＥＧエンコーダ部１０３に入力され、デジタル映像信号が圧縮される。ここでいう圧縮とは、ＭＰＥＧ２方式による映像データ圧縮である。圧縮されたデジタル映像信号はＨＤＤ部１０４に入力され、録画される。
【００２４】
次に、記録した映像を再生する動作を説明する。まず、ユーザーにより操作部１１３から再生操作が行われる。すると、操作部１１３から録再制御部１０７へ再生制御を行うよう指示が出される。録再制御部１０７では、ＨＤＤ部１０４、ＭＰＥＧデコーダ部１０５、Ｄ／Ａ変換部１０６を制御して、ＨＤＤ部１０４に録画された映像を再生する。再生された映像は、ＴＶモニタ部１１５を通してユーザーに提示される。
【００２５】
ＨＤＤ部１０４に記録された映像を再生する手順は、次の通りである。まず、ＨＤＤ部１０４から録画された圧縮映像データが読み出され、ＭＰＥＧデコーダ部１０５によりデジタル映像データに変換される。変換されたデジタル映像データはＤ／Ａ変換部１０６によりアナログ映像信号となり、ＴＶモニタ部１１５を通してユーザーに提示される。
【００２６】
以上が、通常のアナログ映像の録再手順である。
【００２７】
次に、重複録画検出用の画像抽出手順について説明する。Ａ／Ｄ変換部１０２によりデジタル化された映像信号は、重複録画検出用画像抽出部１０８に渡され、検出用の画像が抽出される。検出手順は、まず、シーンチェンジ検出部１０９によりシーンチェンジを検出し、画像データ抽出部１１０にてシーンチェンジ時の１フレーム画像データを抽出することで、重複録画検出用の画像データを得る。
【００２８】
上記のシーンチェンジ検出手法としては、入力映像の隣接フレーム間の差分データから特徴量を抽出し、その特徴量の変化を検出することで、シーンチェンジを検出する。
【００２９】
上記のように、重複録画検出用として抽出した画像データを、検出用画像メモリ部１１１に記録する。メモリ部１１１に記録する画像データであるが、映像を録画中、全てのシーンチェンジ画像を取り込むとデータ量が膨大になるため、録画開始後１０分が経過した後の１０フレーム画像のみといった制約を設けておく。このようにして、１番組につき、１０フレームの検出画像を記録しておく。
【００３０】
次に、重複録画検出の手順について説明する。アナログ映像信号を記録する場合、重複録画検出用画像抽出部１０８により、上記したようにして検出用画像が抽出され、重複検出部１１２に渡される。このとき、検出用画像メモリ部１１１からも録画済みの映像から抽出した検出用画像データ（１番組につき１０フレーム抽出した画像データの先頭の１フレーム）が、重複検出部１１２に渡され、同一画像かどうか判定される。この判定では、ノイズやアナログ映像信号のレベル変動等により判定結果が影響されないように、ある程度許容誤差を含めて判定を行うようにする。
【００３１】
こうして判定された結果、同一画像と判定された場合は、重複検出部１１２は、次の検出用画像１フレーム分の画像データを検出用画像メモリ部１１１に要求し、検出用画像を更新していく。そして、重複録画検出用画像１０フレームと全て一致した場合に、重複録画と判定し、表示部１１４により重複録画警告表示画面の表示処理を行い、ＴＶモニタ部１１５を通して重複録画警告表示画面がユーザーに提示される。
【００３２】
このときに表示される画面例を、図２に示す。図２に示すように、重複録画と判定された際には、ユーザーにより操作部１１３を通して録画をキャンセルするか継続するかの操作を促して、いずれか動作を選択させることによって、録再制御部１０７により録画停止または録画継続の制御が行われる。録画停止の制御を行う場合には、新たな映像の途中までの録画内容はＨＤＤ部１０４から削除され、新たな映像から抽出された重複録画検出用の画像データも検出用画像メモリ部１１１から削除される。
【００３３】
なお、重複検出部１１２により重複録画と判定されたときには、自動的に録再制御部１０７を制御して、自動で録画停止処理を実行させ、新たな映像の途中までの録画内容をＨＤＤ部１０４から削除すると共に、新たな映像から抽出された重複録画検出用の画像データを検出用画像メモリ部１１１から削除するようにしても良い。
【００３４】
また、重複録画である旨を、ユーザーに報知する手段としては、上記したようなテキスト表示以外にも、音声合成手段により生成した音声出力によって、重複録画である旨を報知する手段であってもよい。
【００３５】
本実施形態では、以上のような構成と制御手法によって、重複録画であることを自動的に検出し、これによって重複録画を防止することが可能となる。
【００３６】
次に、本発明の第２実施形態を説明する。図３は、本発明の第２実施形態に係るデジタル録画装置の要部構成を示すブロック図である。本実施形態が前記第１実施形態と異なるのは、重複録画検出用の画像データを検出用画像メモリ部１１１に取り込む手順のみなので、図３では、主として図１と異なる要部部分のみをブロック化して示してある。
【００３７】
図３において、３０１はユーザー選択用画像メモリ部、３０２は画像選択制御部である。なお、図３において、図１に示した構成要素と均等なものには同一符号を付してある。
【００３８】
本実施形態による、検出用画像メモリ部１１１への重複録画検出用の画像データの格納手順について説明する。
【００３９】
まず、アナログ映像信号１０１が、Ａ／Ｄ変換部１０２によりデジタル映像信号に変換される。デジタル化された映像信号は重複録画検出用画像抽出部１０８に渡され、前記した第１実施形態と同様に、シーンチェンジ時の画像データを抽出することにより、画像データが抽出される。抽出された画像データは、全てユーザー選択用画像メモリ部３０１に一旦格納される。
【００４０】
録画が完了した後、ユーザーに重複録画検出用の画像データを選択させるため、画像選択制御部３０２によりユーザー選択用画像メモリ部３０１から読み出した画像データの一覧が、表示部１１４を通してＴＶモニタ部１１５に表示される。
【００４１】
図４は、ユーザー選択用画像メモリ部３０１から読み出した画像データの一覧表示画面例を示す図であり、各画像データはサムネイル画像として表示され、ページスクロール指示を操作部１１３から表示部１１４に与えることにより、一覧表示画面はページスクロールされて表示される。このような、サムネイル画像による一覧表示画面において、操作部１１３を用いたユーザーによる画像データの選択・決定操作により（例えば、カーソルキーによるカーソル移動と決定キーのプッシュ操作により）、ユーザーの選択・決定した画像データの検出用画像メモリ部１１１への取り込みの指示が、画像選択制御部３０２に与えられる。これにより、画像選択制御部３０２は、ユーザーが選択・決定した画像データを重複録画検出用の画像として、何番目のシーンチェンジであるという情報と共に、検出用画像メモリ部１１１に格納させる。
【００４２】
以上のような手順により、本実施形態では、ユーザーに重複録画検出用の画像データを選択させることができる。
【００４３】
重複録画検出の手法は、先の第１実施形態とほぼ同様で、図３には示していない前記重複検出部１１２が、重複録画検出用画像抽出部１０８により抽出された画像データと、検出用画像メモリ部１１１に格納された重複録画検出用の画像データとを、対比することによって行う。すなわち、検出用画像メモリ部１１１に格納された画像データのシーンチェンジ番号と同じシーンチェンジ番号の画像データが、重複録画検出用画像抽出部１０８から重複検出部１１２に到来する毎に、重複検出部は、この重複録画検出用画像抽出部１０８から出力された画像データと、検出用画像メモリ部１１１から読み出した対応するシーンチェンジ番号の画像データとを対比し、検出用画像メモリ部１１１に格納された画像データと全て一致すると、重複録画と判定する。
【００４４】
本実施形態においても、先の第１実施形態と同様に、重複録画であることを自動的に検出し、これによって重複録画を防止することが可能となる。さらに、ユーザーにより重複録画検出用の画像を選択させるので、重複録画検出に適している画像を効率良く選び出し、重複録画の検出精度を上げることも可能となる。
【００４５】
【発明の効果】
以上のように本発明によれば、録画済みの映像内容についてユーザーが意識することなく、同一映像の重複録画を防止することができ、デジタル録画機器の記録容量を無駄に消費することを防止できる。
【００４６】
さらに、ユーザーにより重複録画検出用の画像を選択させることで、重複録画検出に適している画像を効率良く選び出し、重複録画の検出精度を上げることが可能となる。
【図面の簡単な説明】
【図１】本発明の第１実施形態に係るデジタル録画装置の構成を示すブロック図である。
【図２】本発明の第１実施形態に係るデジタル録画装置における、重複録画警告表示画面の例を示す説明図である。
【図３】本発明の第２実施形態に係るデジタル録画装置の要部構成を示すブロック図である。
【図４】本発明の第２実施形態に係るデジタル録画装置における、ユーザーに重複録画検出用の画像データの選択を促すための、画像データの一覧表示画面の例を示す説明図である。
【図５】従来技術によるデジタル録画装置の構成を示すブロック図である。
【符号の説明】
１０１  アナログ映像信号
１０２  Ａ／Ｄ変換部
１０３  ＭＰＥＧエンコーダ部
１０４  ＨＤＤ部
１０５  ＭＰＥＧデコーダ部
１０６  Ｄ／Ａ変換部
１０７  録再制御部
１０８  重複録画検出用画像抽出部
１０９  シーンチェンジ検出部
１１０  画像データ抽出部
１１１  検出用画像メモリ部
１１２  重複検出部
１１３  操作部
１１４  表示部
１１５  ＴＶモニタ部
３０１  ユーザー選択用画像メモリ部
３０２  画像選択制御部
【図１】
0004332305.tif 000002
【図２】
0004332305.tif 000003
【図３】
0004332305.tif 000004
【図４】
0004332305.tif 000005
【図５】
0004332305.tif 000006